(57)【要約】      （修正有）【課題】製造が容易で使用寿命がより長い感温表示機能付き蓋を提供する。【解決手段】蓋体１と、蓋体１の上面に固定される取っ手２を含み、蓋体１の上面と取っ手２の間にガスケット３が更に固定され、ガスケット３が感温変色プラスチックからなる。好ましくは、ガスケット３は、蓋体１の上面のうち取っ手２まわりをカバーするとともに、取っ手２のカバー範囲よりもやや大きくなっている。本考案は、摩耗しにくく抜け落ちにくいほか、製造工程を大幅に簡略化して製造コストを削減可能である。【選択図】図１
0003217363.tif 000002
【実用新案登録請求の範囲】
【請求項１】
蓋体（１）と、前記蓋体（１）の上面に固定される取っ手（２）を含む感温表示機能付き蓋において、
前記蓋体（１）の上面と前記取っ手（２）の間には更にガスケット（３）が固定され、前記ガスケット（３）は感温変色プラスチックからなることを特徴とする感温表示機能付き蓋。
【請求項２】
前記感温変色プラスチックの基材は、ナイロン又はシリカゲルであることを特徴とする請求項１に記載の感温表示機能付き蓋。
【請求項３】
前記感温変色プラスチックの変色温度範囲は、３０〜８０℃であることを特徴とする請求項１に記載の感温表示機能付き蓋。
【請求項４】
前記ガスケット（３）は、前記蓋体（１）の上面のうち前記取っ手（２）まわりをカバーするとともに、前記取っ手（２）のカバー範囲よりもやや大きくなっていることを特徴とする請求項１に記載の感温表示機能付き蓋。
【請求項５】
前記蓋体（１）は強化ガラスからなることを特徴とする請求項１に記載の感温表示機能付き蓋。
【請求項６】
前記強化ガラス製の蓋体（１）の辺縁には、更にステンレス製の縁取り（５）が設けられることを特徴とする請求項５に記載の感温表示機能付き蓋。
【請求項７】
前記取っ手（２）は、ライナー（６）及びネジ（７）により前記蓋体（１）に固定されることを特徴とする請求項１に記載の感温表示機能付き蓋。
【請求項８】
前記ガスケット（３）には、前記ネジ（７）が挿通される挿通孔（３１）が設けられることを特徴とする請求項７に記載の感温表示機能付き蓋。
【請求項９】
前記蓋体（１）のうち前記ネジ（７）が挿通される部位にはシールワッシャ（８）が設けられることを特徴とする請求項７に記載の感温表示機能付き蓋。
【請求項１０】
前記取っ手（２）の下端には更に押圧板（４）が固定され、前記押圧板（４）は前記ガスケット（３）の上面を押圧することを特徴とする請求項１に記載の感温表示機能付き蓋。
【考案の詳細な説明】
【技術分野】
【０００１】
本考案は蓋に関し、具体的には、温度変化に応じて異なる色を表示可能な炊事用具、加熱容器又は保温容器の蓋に関する。
【背景技術】
【０００２】
従来技術には、炊事用具又は調理器具の蓋に感温変色マークを設けて各温度状態を表示する方案が開示されている。例えば、特許文献１は、感温変色マークを有する調理器具用蓋について開示している。当該蓋は鍋蓋本体を含み、前記鍋蓋本体には感温変色コーティング層が塗布されている。前記感温変色コーティング層は温度の変化にともなって一の所定の色から他の所定の色へと可逆的に推移可能である。
【０００３】
また、特許文献２は、熱変色インク又は塗料によって表面の相当部分をコーティングすることで、第１の熱変色インジケータが形成される調理器具用の熱変色蓋を開示している。前記第１の熱変色インジケータは、調理者に対し下方の調理用容器及び／又はその中の食物が所望の温度に達したことを注意喚起すべく、外観がわかりやすく変化可能である。また、蓋上の第２の熱変色インジケータは、容器内の液体が沸騰していること、或いは、第１の熱変色インジケータの外観変化から一定時間が経過したことを示すために用いられる。好ましくは、第１の熱変色インジケータは第２の熱変色インジケータを取り囲んでおり、且つ、各インジケータがそれぞれに対応する熱変色推移温度に到達するまでのタイムラグが形成又は延長されるよう、熱絶縁体を介して第２の熱変色インジケータから切り離されている。
【０００４】
上述した従来技術の蓋の場合、感温変色機能はいずれも蓋表面に感温変色層を直接コーティングすることで実現される。そのため、蓋の使用中又は洗浄中に感温変色層が摩耗又は剥離しやすいほか、コーティング工程に蓋の製造コストが加わる、との瑕疵が少なくとも存在する。
【先行技術文献】
【特許文献】
【０００５】
【特許文献１】中国実用新案第ＣＮ２０３２２６６６２Ｕ号
【特許文献２】中国特許出願第ＣＮ１９３９１９６Ａ号
【考案の概要】
【考案が解決しようとする課題】
【０００６】
本考案は、従来技術における上記の瑕疵を解消すべく、製造が容易で使用寿命がより長い感温表示機能付き蓋を提供することを解決すべき技術的課題とする。
【課題を解決するための手段】
【０００７】
上記の技術的課題を解決すべく、本考案では以下の技術方案を用いる。即ち、感温表示機能付き蓋であって、蓋体と、蓋体の上面に固定される取っ手を含み、前記蓋体の上面と取っ手の間にガスケットが更に固定され、前記ガスケットは感温変色プラスチックからなる。
【０００８】
好ましくは、前記感温変色プラスチックの基材はナイロン又はシリカゲルである。
【０００９】
好ましくは、前記感温変色プラスチックの変色温度範囲は、３０〜８０℃である。
【００１０】
好ましくは、前記ガスケットは、蓋体の上面のうち取っ手まわりをカバーするとともに、取っ手のカバー範囲よりもやや大きくなっている。
【００１１】
好ましくは、前記蓋体は強化ガラスからなる。
【００１２】
更に、前記強化ガラス製の蓋体の辺縁には、更にステンレス製の縁取りが設けられる。
【００１３】
好ましくは、前記取っ手は、ライナー及びネジにより蓋体に固定される。
【００１４】
更に、前記ガスケットには、ネジが挿通される挿通孔が設けられる。
【００１５】
更に、蓋体のうち前記ネジが挿通される部位にはシールワッシャが設けられる。
【００１６】
好ましくは、前記取っ手の下端には更に押圧板が固定され、前記押圧板はガスケットの上面を押圧する。
【考案の効果】
【００１７】
従来技術と比較して、本考案は以下の有益な効果を有する。
１．本考案では、変色インジケータとして感温変色プラスチックからなるガスケットを用いているため、製造工程を大幅に簡略化し、製造コストを削減することが可能である。
２．感温変色プラスチックは従来の変色コーティング層に比べて摩耗しにくく、使用寿命がより長くなる。
３．感温変色プラスチックをガスケットとし、蓋体の上面と取っ手の間に固定しているため抜け落ちにくい。
【図面の簡単な説明】
【００１８】
【図１】図１は、本考案における感温表示機能付き蓋の断面図である。
【図２】図２は、本考案における感温表示機能付き蓋の平面図である。
【図３】図３は、ガスケットを示す図である。
【考案を実施するための形態】
【００１９】
以下に、図面を組み合わせて本考案の具体的実施形態につき更に詳細に説明する。なお、これら実施形態は本考案を説明するためのものにすぎず、本考案を制限するものではない。
【００２０】
図１、図２に示すように、本考案の感温表示機能付き蓋は、蓋体１と、蓋体１の上面に固定される取っ手２を含む。蓋体１の上面にはガスケット３が更に設けられており、ガスケット３は蓋体１と取っ手２の間に固定されている。ガスケット３は感温変色プラスチックからなる。即ち、温度変化に応じて異なる色を表示することで、温度表示作用を奏する。感温変色プラスチックは公知の材料であり、プラスチック基材に可逆性の感温変色色素を加えて製造される。また、本願でいうところのプラスチック基材には、ナイロン又はシリカゲル等の高分子材料も含まれる。選択される感温変色プラスチックの変色温度範囲は、炊事用具又は調理器具に一般的な温度範囲に対応して、３０〜８０℃とすることが好ましい。これによれば、当該炊事用具又は調理器具が熱くなっていることを使用者に注意喚起することで、不注意による火傷を回避可能となる。
【００２１】
蓋体１は、鉄、アルミニウム又はステンレス等の金属で製造可能であるが、強化ガラスで製造することがより好ましい。強化ガラス製の蓋体を用いる場合には、蓋体１の辺縁にステンレス製の縁取り５を設けて保護作用を発揮させてもよい。
【００２２】
蓋体１の下面にはライナー６が設けられている。ネジ７をライナー６と蓋体１に挿通し、取っ手２の下端に接続することで、取っ手２が蓋体１に固定される。密封性を保証すべく、蓋体１のうちネジ７が挿通される部位には更にシールワッシャ８が設けられている。なお、シールワッシャ８は白色のシリカゲル材料で製造されることが好ましい。
【００２３】
また、上記に応じて、ガスケット３にもネジが挿通される挿通孔３１（図３参照）が設けられている。これによれば、ガスケット３は取っ手２と蓋体１の間に挟持さるため、抜け落ちることがない。更に、取っ手２の下端には押圧板４が固定されている。前記押圧板４は、蓋体１の上面にガスケット３がよりしっかりと密着するよう、ガスケット３の上面を押圧する。これによれば、いっそう正確に温度が検知されるとともに、ガスケット３をより確実に固定及び保護可能となる。
【００２４】
図２に示すように、ガスケット３は蓋体１の上面のうち取っ手２まわりのみをカバーしており、且つ、色の変化を観察しやすいよう、取っ手２（押圧板４を含む）のカバー範囲よりもやや大きくなっている。また、本実施例において、取っ手２はＵ字状の取っ手であり、ガスケット３は長尺状をなしている。なお、取っ手２として柱状のものを用いる場合には、これに応じて、ガスケット３として円形のものを用いればよい。
【００２５】
本考案では、変色インジケータとして感温変色プラスチックからなるガスケットを用い、蓋体の上面と取っ手の間に固定しているため抜け落ちにくい。また、感温変色プラスチック製のガスケットは従来の変色コーティング層に比べて摩耗しにくい。特に、当該ガスケットは取っ手の下方に固定されており、他の物体と接触し得ない位置に置かれているため、いっそう摩耗が減少し、使用寿命が延びる。
【００２６】
以上は本考案の好ましい実施形態にすぎない。当業者であれば、本考案の技術原理を逸脱しないことを前提に、更に若干の改良及び置き換えが可能であって、これらの改良及び置き換えもまた本考案の保護の範囲とみなされる。
【符号の説明】
【００２７】
１    蓋体
２    取っ手
３    ガスケット
４    押圧板
５    ステンレス製の縁取り
６    ライナー
７    ネジ
８    シールワッシャ
３１    挿通孔
【図１】
0003217363.tif 000003
【図２】
0003217363.tif 000004
【図３】
0003217363.tif 000005